(57)【特許請求の範囲】
【請求項１】
外枠と、
遊技領域を有する遊技盤を備え且つ前記外枠の前側に開閉可能に装着された第１扉体と、
前記遊技領域の前側に対応する透明窓を備え且つ前記第１扉体の前側に開閉可能に装着された第２扉体とを備え、
前記第１扉体は前記外枠に対して左右方向一端側に配置された上下方向の第１軸心廻りに開放可能であり、
前記第２扉体は前記第１扉体に対して前記第１軸心と同じ左右方向一端側に配置された上下方向の第２軸心廻りに開放可能である
遊技機において、
前記第１扉体に対し前記第２扉体をその上下箇所で回動自在に枢支する上ヒンジ部材および下ヒンジ部材と、
前記第２扉体の開放側への回転を規制する規制手段とを備え、
前記第１扉体と前記第２扉体とを一体として開放する場合には前記外枠に対して第１最大角度まで開放可能であり、
前記第２扉体単体で開放する場合には前記第１扉体に対して第２最大角度まで開放可能であり、
前記規制手段は、前記第１扉体に対する前記第２扉体単体の相対回転については前記第２最大角度で規制する第２最大角度規制手段を含むが、前記外枠に対する前記第１扉体と前記第２扉体とを一体とした相対回転については少なくとも前記第２最大角度では規制しないことにより、前記第２最大角度よりも前記第１最大角度の方が大となるように構成し、
前記上ヒンジ部材は、バネの復元力を利用して固定される支軸を支持するための支持孔を有し、
前記下ヒンジ部材は、固定ヒンジ軸および該固定ヒンジ軸が挿入される軸支部を有し、
前記第２最大角度規制手段は、前記下ヒンジ部材に設けられ、前記第２最大角度で前記第２扉体単体の回転規制を行う当接手段を有する
ことを特徴とする遊技機。
【発明の詳細な説明】
【技術分野】
【０００１】
本発明は、パチンコ機、アレンジボール機等の遊技機に関するものである。
【背景技術】
【０００２】
パチンコ機等の遊技機では、外枠の前側に、遊技盤等を備えた第１扉体が開閉可能に装着されており、更にその第１扉体の前側には、遊技盤の遊技領域に対応する透明窓を備えた第２扉体が開閉可能に装着されている。第１扉体は外枠に対して左右方向一端側（例えば左端側）に配置された上下方向の第１軸心廻りに開閉可能であり、また第２扉体は第１扉体に対して第１軸心と略同心の第２軸心廻りに開閉可能であり、何れも閉状態で施錠可能となっている（例えば特許文献１参照）。
【０００３】
第１扉体の後側には、各種制御基板等が配置されると共に、電源ＯＮ／ＯＦＦ操作部、ＲＡＭクリア操作部、音量調整部等の各種操作手段が配置されている。従って、電源のＯＮ／ＯＦＦ、音量調整等の作業は第１扉体を開放して行う必要があるが、これらの作業は基本的に遊技ホールの営業時間外に行われる。
【０００４】
一方、第２扉体については、第１扉体に装着された遊技盤の前側を覆うように配置されているため、遊技盤の着脱、釘調整、球詰まり解除等の作業についてはこの第２扉体を開放して行う必要があるが、これらの作業には、球詰まりの解除等、遊技ホールの営業時間内に行われるものが含まれている。
【先行技術文献】
【特許文献】
【０００５】
【特許文献１】特開２００８−３０２１０７号公報
【発明の概要】
【発明が解決しようとする課題】
【０００６】
第１扉体を開放して行う作業、第２扉体を開放して行う作業の何れについても、各扉体をなるべく大きく開放した状態で行う方が作業効率がよいことは明らかである。
【０００７】
ここで、第１扉体を開放して行う作業については、何れも基本的に遊技ホールの営業時間外に行われるため、第１扉体の開放角度が大きくても例えば隣の遊技者の遊技の妨げになることはないのに対し、第２扉体を開放して行う作業については、少なくともその一部は遊技ホールの営業時間中に行われるため、第２扉体の開放角度が大きすぎると隣の遊技者の遊技の妨げになる場合がある。
【０００８】
また、通常は第１扉体から外枠に配線を通すことはないため、第１扉体の開放角度がいくら大きくてもハーネスが引っ張られて断線する虞はないのに対し、第１扉体から第２扉体に対しては各種の配線が通っているため、第２扉体の開放角度が大きすぎるとハーネスが引っ張られて断線する虞がある。
【０００９】
本発明は上記事情に鑑みてなされたものであり、第１扉体と第２扉体とを夫々の特性に応じた適切な範囲で開放することが可能な遊技機を提供することを目的とする。
【課題を解決するための手段】
【００１０】
本発明は、外枠２と、遊技領域１８を有する遊技盤１５を備え且つ前記外枠２の前側に開閉可能に装着された第１扉体３と、前記遊技領域１８の前側に対応する透明窓２１を備え且つ前記第１扉体３の前側に開閉可能に装着された第２扉体４とを備え、前記第１扉体３は前記外枠２に対して左右方向一端側に配置された上下方向の第１軸心７ａ廻りに開放可能であり、前記第２扉体４は前記第１扉体３に対して前記第１軸心７ａと同じ左右方向一端側に配置された上下方向の第２軸心７ｂ廻りに開放可能である遊技機において、前記第１扉体３に対し前記第２扉体４をその上下箇所で回動自在に枢支する上ヒンジ部材および下ヒンジ部材と、前記第２扉体４の開放側への回転を規制する規制手段８６とを備え、前記第１扉体３と前記第２扉体４とを一体として開放する場合には前記外枠２に対して第１最大角度θ１まで開放可能であり、前記第２扉体４単体で開放する場合には前記第１扉体３に対して第２最大角度θ２まで開放可能であり、前記規制手段８６は、前記第１扉体３に対する前記第２扉体４単体の相対回転については前記第２最大角度θ２で規制する第２最大角度規制手段を含むが、前記外枠２に対する前記第１扉体３と前記第２扉体４とを一体とした相対回転については少なくとも前記第２最大角度θ２では規制しないことにより、前記第２最大角度θ２よりも前記第１最大角度θ１の方が大となるように構成し、前記上ヒンジ部材は、バネの復元力を利用して固定される支軸を支持するための支持孔を有し、前記下ヒンジ部材は、固定ヒンジ軸および該固定ヒンジ軸が挿入される軸支部を有し、前記第２最大角度規制手段は、前記下ヒンジ部材に設けられ、前記第２最大角度θ２で前記第２扉体４単体の回転規制を行う当接手段を有する。
【００１１】
また、前記規制手段８６は、前記第１扉体３と一体に回転する第１当接手段８０，８０′，８０″と、前記第２扉体４と一体に回転し且つ前記第１扉体３に対する前記第２扉体４の相対回転角度が前記第２最大角度θ２となったときに前記第１当接手段８０，８０′，８０″に当接してそれ以上の相対回転を規制する第２当接手段８５，８５′，８５″とを備えた構成としてもよい。また、前記第２最大角度θ２は９０度以上とすることが望ましい。
【発明の効果】
【００１２】
本発明によれば、第１扉体と第２扉体とを夫々の特性に応じた適切な範囲で開放することが可能となる。
【図面の簡単な説明】
【００１３】
【図１】本発明の第１の実施形態に係るパチンコ機の全体正面図である。
【図２】同パチンコ機の全体側面図である。
【図３】同パチンコ機の分解斜視図である。
【図４】同パチンコ機の第１，第２上ヒンジ手段の分解斜視図である。
【図５】同パチンコ機の第２上ヒンジ手段近傍における平面断面図である。
【図６】同パチンコ機の第１，第２下ヒンジ手段の斜視図である。
【図７】同パチンコ機の第１，第２下ヒンジ手段の分解斜視図である。
【図８】同パチンコ機の第１，第２下ヒンジ手段近傍における平面断面図である。
【図９】同パチンコ機の第１，第２下ヒンジ手段近傍における正面断面図である。
【図１０】同パチンコ機のガラス扉を最大角度まで開放した状態を示す説明図である。
【図１１】同パチンコ機の内枠を最大角度まで開放した状態を示す説明図である。
【図１２】本発明の第２の実施形態に係るパチンコ機の第２下ヒンジ手段の分解斜視図である。
【図１３】同パチンコ機の第１，第２下ヒンジ手段近傍における平面断面図である。
【図１４】同パチンコ機のガラス扉を最大角度まで開放した状態を示す説明図である。
【図１５】本発明の第３の実施形態に係るパチンコ機の第２上ヒンジ手段の分解斜視図である。
【図１６】同パチンコ機の第２上ヒンジ手段近傍における平面断面図である。
【図１７】同パチンコ機のガラス扉を最大角度まで開放した状態を示す説明図である。
【図１８】本発明の第４の実施形態に係るパチンコ機の第１，第２下ヒンジ手段の分解斜視図である。
【図１９】同パチンコ機の第１，第２下ヒンジ手段近傍における平面断面図である。
【図２０】同パチンコ機の第１，第２下ヒンジ手段近傍における正面断面図である。
【図２１】同パチンコ機のガラス扉を最大角度まで開放した状態を示す説明図である。
【図２２】同パチンコ機の内枠を最大角度まで開放した状態を示す説明図である。
【発明を実施するための形態】
【００１４】
以下、本発明の実施形態を図面に基づいて詳述する。図１〜図１１は本発明をパチンコ機に採用した第１の実施形態を例示している。図１〜図３において、遊技機本体１は、外枠２と、この外枠２の前側に配置された内枠（第１扉体）３と、この内枠３の前側に配置されたガラス扉（第２扉体）４とを備えている。内枠３は、左右方向一端側、例えば左端側に配置された第１上ヒンジ手段５及び第１下ヒンジ手段６を介して外枠２に上下方向の第１軸心７ａ廻りに開閉自在及び着脱自在に枢着されており、左右方向におけるヒンジ手段５，６と反対側、例えば右端側に設けられた施錠手段８によって外枠２に対して閉状態で施錠可能となっている。
【００１５】
また、ガラス扉４は、左右方向一端側、例えば左端側に配置された第２上ヒンジ手段９及び第２下ヒンジ手段１０を介して内枠３に上下方向の第２軸心７ｂ廻りに開閉自在及び着脱自在に枢着されており、施錠手段８によって内枠３に対して閉状態で施錠可能となっている。なお、本実施形態では第１軸心７ａと第２軸心７ｂとは一致している。
【００１６】
外枠２は、左右一対の縦枠材２ａ，２ｂと上下一対の横枠材２ｃ，２ｄとで矩形枠状に形成されている。外枠２の前側下部には、例えば合成樹脂製の前横枠材１１が、下横枠材２ｄの上縁に沿って左右の縦枠材２ａ，２ｂの前側下部を連結するように配置されている。前横枠材１１は、左右の縦枠材２ａ，２ｂよりも前側に突出しており、その上側に内枠３が配置されている。
【００１７】
内枠３は合成樹脂製で、前横枠材１１の上側で外枠２の前縁側に当接可能な矩形状の枠部１２と、この枠部１２内の上部側に設けられた遊技盤装着部１３と、枠部１２内の下部側に設けられた下部装着部１４とを一体に備えている。遊技盤装着部１３には、遊技盤１５が例えば前側から着脱自在に装着されている。
【００１８】
遊技盤１５の前面側には、発射手段１６から発射された遊技球を案内するガイドレール１７が環状に装着され、そのガイドレール１７の内側の遊技領域１８内に、図柄表示手段、図柄始動手段、可変入賞手段、普通入賞手段等（何れも図示省略）のユニット部品の他、多数の遊技釘等が配置されている。また、遊技盤１５の背面側には、主制御基板、演出制御基板、液晶制御基板等（何れも図示省略）が夫々基板ケースに格納された状態で着脱自在に装着されている。
【００１９】
遊技盤装着部１３の背面側には、左右方向の一端側、例えばヒンジ手段５，６等と同じ左端側に、遊技球の払い出しを行う払い出し手段１９が配置されている。また、下部装着部１４には、その前側に発射手段１６、下部スピーカ２０等が配置され、また背面側には、払出制御基板、発射制御基板、電源基板等（何れも図示省略）が夫々基板ケースに格納された状態で着脱自在に装着されている。
【００２０】
ガラス扉４は、内枠３の前面側に対応する矩形状に形成され且つ遊技領域１８の前側に対応するガラス窓（透明窓）２１用の窓孔２１ａが形成された樹脂製の扉ベース２２を備えている。この扉ベース２２の上部側には、例えば窓孔２１ａの周囲に対応して複数の上部スピーカ２３、送風演出装置２４等の演出手段が配置されると共に、それら上部スピーカ２３等を前側から略覆う上装飾カバー２５が装着されている。
【００２１】
また、扉ベース２２の下部前側には、払い出し手段１９から払い出された遊技球を貯留して発射手段１６に供給する上皿２６、その上皿２６が満杯のときの余剰球等を貯留する下皿２７、発射手段１６を作動させるために操作する発射ハンドル２８等が配置され、更に上皿２６、下皿２７等を前側から略覆うように下装飾カバー２９が装着されている。下装飾カバー２９上には、遊技者が操作可能な演出用操作ボタン３０等の各種操作部が設けられている。
【００２２】
扉ベース２２の背面側には、窓孔２１ａを後側から略塞ぐガラスユニット３１が着脱自在に装着されると共に、ヒンジ手段９，１０側の縁部に沿って配置される上下方向のヒンジ端側補強板金３２と、開閉端側の縁部に沿って配置される上下方向の開閉端側補強板金３３と、窓孔２１ａの下側に配置される左右方向の下部補強板金３４とがねじ止め等により着脱自在に固定されている。
【００２３】
また、例えば下部補強板金３４の背面側には、球送りユニット３５、下皿案内ユニット３６等が装着されている。球送りユニット３５は、上皿２６内の遊技球を１個ずつ発射手段１６に供給するためのもので、発射手段１６の前側に対応して配置されている。下皿案内ユニット３６は、上皿２６が満杯となったときの余剰球、及び発射手段１６により発射されたにも拘わらず遊技領域１８に達することなく戻ってきたファール球を下皿２７に案内するためのもので、例えば球送りユニット３５に隣接してそのヒンジ手段９，１０側に配置されている。
【００２４】
なお、ガラス扉４側の上部スピーカ２３、送風演出装置２４、発射ハンドル２８、演出用操作ボタン３０、球送りユニット３５等から引き出されたハーネスは、例えば第２下ヒンジ手段１０の上側を経て内枠３側の制御基板等に接続されている（図示省略）。
【００２５】
続いて、ヒンジ手段５，６，９，１０の構成について、図３〜図１１等を参照しつつ詳述する。図３等に示すように、第１上ヒンジ手段５は、外枠２側の外枠上ヒンジ金具４１と、内枠３側の内枠上第１ヒンジ金具４２とで構成されており、第１下ヒンジ手段６は、外枠２側の外枠下ヒンジ金具４３と、内枠３側の内枠下ヒンジ金具４４とで構成されている。また、第２上ヒンジ手段９は、内枠３側の内枠上第２ヒンジ金具４５と、ガラス扉４側のガラス扉上ヒンジ金具４６とで構成されており、第２下ヒンジ手段１０は、内枠３側の内枠下ヒンジ金具４４と、ガラス扉４側のガラス扉下ヒンジ金具４７とで構成されている。
【００２６】
外枠上ヒンジ金具（外枠ヒンジ部材）４１は、図４等に示すように、上横枠材２ｃの左端部に対応してその前側に略水平に配置されるヒンジ軸受部５１と、例えば上横枠材２ｃと左縦枠材２ａとの連結部外面に沿う正面視Ｌ字型に形成された板状の取付部５２とを例えば一体に備えており、取付部５２が外枠２の外面側に固定ネジ等により着脱自在に固定されている。ヒンジ軸受部５１は、例えば取付部５２の水平面の前端側から前向きに突設され、その上面側の前端部近傍に、内枠３側のヒンジ軸５３が上側から嵌合するヒンジ孔５４（第１軸心７ａ）が設けられている。
【００２７】
また、ヒンジ軸受部５１の上面側には、内枠３側のヒンジ軸５３をヒンジ孔５４に案内するための案内溝５５が設けられている。この案内溝５５は、ヒンジ孔５４の後側で例えば右向きに屈曲し、その端部５５ａがヒンジ軸受部５１の側面で開放されると共に、端部５５ａからヒンジ孔５４に向けてヒンジ軸５３を上向きに押し上げる押し上げ案内部（図示省略）を備えている。
【００２８】
内枠上第１ヒンジ金具（第１ヒンジ部材）４２は、図４等に示すように、外枠上ヒンジ金具４１側のヒンジ軸受部５１の上面に対応して略水平に配置された板状のヒンジ軸支持部５６と、例えば内枠３の上面側から裏面側に跨がるように側面視略Ｌ字状に配置された取付部５７とを例えば一体に備えており、取付部５７が内枠３の背面側に固定ネジ等により着脱自在に固定されている。ヒンジ軸支持部５６は、外枠上ヒンジ金具４１側のヒンジ軸受部５１の上面に対応する形状に形成され且つその前端部近傍に下向きのヒンジ軸５３が設けられた突出部５６ａを備え、その突出部５６ａの後端側が右向きに屈曲して取付部５７に連結されている。なお、外枠上ヒンジ金具４１側のヒンジ軸受部５１は、その上面側が上横枠材２ｃの上面よりも若干低く、そのヒンジ軸受部５１の上側に摺接するヒンジ軸支持部５６が上横枠材２ｃと略面一状となっている。
【００２９】
内枠上第２ヒンジ金具（第１ヒンジ部材，第１上ヒンジ部材）４５は、図４等に示すように、外枠上ヒンジ金具４１側のヒンジ軸受部５１の下側に対応して略水平に配置され且つその前端側が内枠３の前側に突出する板状のヒンジ軸受部６１と、このヒンジ軸受部６１の後部側から例えば内枠３の背面に沿って例えば下向きに配設された取付部６２とを例えば一体に備えており、例えば取付部６２が内枠３の背面に固定ネジ等により着脱自在に固定されている。ヒンジ軸受部６１の先端側には、内枠上第１ヒンジ金具４２側のヒンジ軸５３（第１軸心７ａ）と同心となるようにヒンジ孔６３（第２軸心７ｂ）が形成されている。
【００３０】
ガラス扉上ヒンジ金具（第２ヒンジ部材，第２上ヒンジ部材）４６は、図４，図５等に示すように、内枠上第２ヒンジ金具４５側のヒンジ孔６３に下側から嵌合する可動ヒンジ軸６４と、この可動ヒンジ軸６４を、ヒンジ孔６３に嵌合する嵌合位置とヒンジ孔６３に嵌合しない退避位置との間で上下方向移動可能に支持するヒンジ軸支持部材６５と、可動ヒンジ軸６４を嵌合位置側に付勢するバネ６６とを備えている。ヒンジ軸支持部材６５は、上下一対のヒンジ軸支持板６５ａ，６５ｂと、それらの後端側を上下に連結する連結板６５ｃとで側面視略コの字状に形成され、連結板６５ｃが例えばヒンジ端側補強板金３２を介して扉ベース２２に着脱自在に固定されており、上下のヒンジ軸支持板６５ａ，６５ｂをバネ６６を介して上向きに貫通するように可動ヒンジ軸６４が装着されている。可動ヒンジ軸６４の下端側には、操作部６７が例えば後向きに延設されており、この操作部６７をバネ６６の付勢力に抗して下向きに操作することにより、可動ヒンジ軸６４を嵌合位置から退避位置へと移動させることが可能となっている。
【００３１】
なお、ガラス扉上ヒンジ金具４６は、例えばその略全体がガラス扉４の上装飾カバー２５等の内側に配置されているが、可動ヒンジ軸６４の上端部についてはガラス扉４の上面側から上向きに突出しており、また操作部６７は例えばガラス扉４の背面よりも後側に突出し、ガラス扉４の後側からの操作が可能となっている。
【００３２】
外枠下ヒンジ金具（外枠ヒンジ部材）４３は、図６〜図９等に示すように、左縦枠材２ａの前側から内面（右側面）側にわたって前横枠材１１の上面に沿って略水平に配置された板状のヒンジ軸支持部７１と、このヒンジ軸支持部７１の後部側から左縦枠材２ａの内面に沿って例えば上向きに配設された板状の取付部７２と、ヒンジ軸支持部７１の前端側に配置される上向きのヒンジ軸７３とを例えば一体に備えており、例えばヒンジ軸支持部７１の前後方向略中央部が前横枠材１１の上面側に、また取付部７２が左縦枠材２ａの内面側に、夫々固定ネジ等により着脱自在に固定されている。
【００３３】
ヒンジ軸支持部７１は、前横枠材１１よりも前側に突出する突出部７１ａを備えている。この突出部７１ａは、右端側から左端側にかけて徐々に前向きの突出量が大きくなる平面視略直角三角形状で、その左端部前側の頂部７４の近傍に略円柱状のヒンジ軸７３（第１軸心７ａ）が配置されている。頂部７４は、ヒンジ軸７３の半径よりも大きいＲ状に形成されており、ヒンジ軸７３はその頂部７４のＲ中心又はその近傍に設けられている。
【００３４】
内枠下ヒンジ金具（第１ヒンジ部材，第１下ヒンジ部材）４４は、図６〜図９等に示すように、内枠３の左端部下面に沿って略水平に配置された板状のヒンジ軸受部７５と、このヒンジ軸受部７５の後部側から内枠３の背面に沿って上向きに配設された取付部７６とを例えば一体に備えており、取付部７６が内枠３の背面側に固定ネジ等により着脱自在に固定されている。ヒンジ軸受部７５は、Ｒ状の頂部７７を含む前部側の外形が、外枠下ヒンジ金具４３の突出部７１ａの外形と略一致しており、頂部７７の近傍に、ヒンジ軸７３が下側から嵌合する中間ヒンジ孔７８と、この中間ヒンジ孔７８の外周に沿って上向きに突出する略円筒状の中間ヒンジ軸７９（第２軸心７ｂ）とが設けられている。
【００３５】
また、頂部７７の外縁部には、例えばその左端部側に、第２軸心７ｂに対する半径方向外向きに突出する第１当接手段８０が例えば一体に設けられている。即ち、内枠３を外枠２に装着して閉じたとき、外枠下ヒンジ金具４３と内枠下ヒンジ金具４４とはその前部側の外形が略一致する一方、内枠下ヒンジ金具４４側の第１当接手段８０が外枠下ヒンジ金具４３側の頂部７４の外縁よりも外側に突出した状態となる。
【００３６】
ガラス扉下ヒンジ金具（第２ヒンジ部材，第２下ヒンジ部材）４７は、図６〜図９等に示すように、ガラス扉４の扉ベース２２の左端部下面に沿って略水平に配置された板状のヒンジ軸受部８１と、このヒンジ軸受部８１の後部側から扉ベース２２の背面に沿って上向きに配設された取付部８２とを例えば一体に備えており、取付部８２が、例えばヒンジ端側補強板金３２と共に扉ベース２２の背面側に固定ネジ等により着脱自在に固定されている。ヒンジ軸受部８１は、Ｒ状の頂部８３を含む前部側の外形が、外枠下ヒンジ金具４３及び内枠下ヒンジ金具４４側の前部側の外形と略一致しており、頂部８３の近傍に、中間ヒンジ軸７９が下側から嵌合するヒンジ孔８４が設けられている。
【００３７】
また、ヒンジ軸受部８１の外縁部には、例えば頂部８３の右端側に第２当接手段８５が例えば一体に設けられている。この第２当接手段８５は、ヒンジ軸受部８１から第２軸心７ｂに対する半径方向外向きに突出すると共にその先端側が内枠下ヒンジ金具４４の外周面に沿って下向きに屈曲する断面略Ｌ字状に形成されている。即ち、内枠３を外枠２に、ガラス扉４を内枠３に夫々装着し、内枠３とガラス扉４とを共に閉じたとき、図８に示すように、外枠下ヒンジ金具４３、内枠下ヒンジ金具４４及びガラス扉下ヒンジ金具４７はそれらの前部側の外形が略一致する一方、内枠下ヒンジ金具４４側の第１当接手段８０と、ガラス扉下ヒンジ金具４７側の第２当接手段８５とが夫々外側に突出した状態となる。そして、その状態からガラス扉４のみを開放すると、図１０（ｂ）に示すように所定の開放角度となったときに第２当接手段８５が第１当接手段８０に当接し、それ以上の開放側への回転が規制される。
【００３８】
なお、第１当接手段８０と第２当接手段８５とが、ガラス扉（第２扉体）４の開放側への回転を規制するガラス扉規制手段（規制手段）８６を構成している。
【００３９】
ガラス扉４を内枠３に装着する際には、まずガラス扉下ヒンジ金具４７のヒンジ孔８４を、内枠下ヒンジ金具４４の中間ヒンジ軸７９に上側から嵌め込み（図７）、その状態で、ガラス扉上ヒンジ金具４６の操作部６７を操作しつつ、可動ヒンジ軸６４を内枠上第２ヒンジ金具４５のヒンジ孔６３に下側から嵌合させればよい（図４）。
【００４０】
また、内枠３を外枠２に装着する際には、まず内枠下ヒンジ金具４４の中間ヒンジ孔７８を、外枠下ヒンジ金具４３のヒンジ軸７３に上側から嵌め込み（図７）、その状態で、内枠上第１ヒンジ金具４２のヒンジ軸５３を、外枠上ヒンジ金具４１の案内溝５５に端部５５ａ側から滑り込ませ、その案内溝５５に沿って摺動させることにより、ヒンジ軸５３をヒンジ孔５４に上側から嵌合させればよい（図４）。なお、内枠３へのガラス扉４の装着と、外枠２への内枠３の装着とはどちらを先に行ってもよい。
【００４１】
内枠３を閉じた状態でガラス扉４を開放する場合には、そのガラス扉４と共にガラス扉上ヒンジ金具４６とガラス扉下ヒンジ金具４７とが回転する。そして、図１０（ａ）に示すようにガラス扉４の開放角度がガラス扉最大角度（第２最大角度）θ２となったとき、図１０（ｂ）に示すようにガラス扉下ヒンジ金具４７側の第２当接手段８５が内枠下ヒンジ金具４４側の第１当接手段８０に当接して、それ以上の開放側への回転が規制される。このガラス扉最大角度θ２は、隣の遊技者の遊技の妨げにならない範囲でなるべく大きな角度、例えば９０度以上に設定することが望ましく、本実施形態ではθ２≒１００度となっている。
【００４２】
一方、ガラス扉４を閉じた状態で内枠３を開放する場合には、その内枠３（及びガラス扉４）と共に内枠上第１ヒンジ金具４２，内枠下ヒンジ金具４４，ガラス扉上ヒンジ金具４６及びガラス扉下ヒンジ金具４７が回転する。この場合、内枠下ヒンジ金具４４とガラス扉下ヒンジ金具４７との相対的な位置関係は変化しないため、ガラス扉下ヒンジ金具４７側の第２当接手段８５が内枠下ヒンジ金具４４側の第１当接手段８０に当接することはない。また、内枠３の開放角度がガラス扉最大角度θ２となった時点ではガラス扉下ヒンジ金具４７側の第２当接手段８５が外枠下ヒンジ金具４３側に当接することはなく、従って内枠３はガラス扉最大角度θ２を超えて更に開放側に回転可能である。
【００４３】
その後、図１１に示すように例えばガラス扉４の上装飾カバー２５等が外枠２に当接することにより、内枠３のそれ以上の開放側への回転が規制される。なお、当該パチンコ機がホールに設置された状態では、内枠３及びガラス扉４は外枠２に当接することはなく、例えば隣の遊技機に当接することによってそれ以上の開放側への回転が規制されるが、いずれにしても開放側への回転が規制された時点での内枠３の開放角度、即ち内枠最大角度（第１最大角度）θ１とガラス扉最大角度（第２最大角度）θ２との関係はθ１＞θ２となる。
【００４４】
以上のように、本実施形態のパチンコ機は、外枠２と、遊技領域１８を有する遊技盤１５を備え且つ外枠２の前側に開閉可能に装着された内枠（第１扉体）３と、遊技領域１８の前側に対応するガラス窓（透明窓）２１を備え且つ内枠３の前側に開閉可能に装着されたガラス扉（第２扉体）４とを備え、内枠３は外枠２に対して左右方向一端側に配置された上下方向の第１軸心７ａ廻りに第１最大角度θ１まで開放可能であり、ガラス扉４は内枠３に対して第１軸心７ａと略同心の第２軸心７ｂ廻りに第２最大角度θ２まで開放可能であって、ガラス扉４の開放側への回転を規制するガラス扉規制手段（規制手段）８６を設け、そのガラス扉規制手段８６は、内枠３に対するガラス扉４の相対回転については第２最大角度θ２で規制するが、外枠２に対するガラス扉４の相対回転については少なくとも第２最大角度θ２では規制しないことにより、第２最大角度θ２よりも第１最大角度θ１の方が大となるように構成しているため、遊技ホールの営業時間外には内枠３を大きく開放した状態で効率よく作業を行うことができる一方、営業時間内にガラス扉４を開放する際には隣の遊技者の遊技の妨げになることがなく、内枠３とガラス扉４とを夫々の特性に応じた適切な範囲で開放することが可能となる。
【００４５】
また、外枠２側に設けられた外枠上ヒンジ金具４１及び外枠下ヒンジ金具４３（外枠ヒンジ部材）と、内枠３側に設けられ且つ外枠上ヒンジ金具４１及び外枠下ヒンジ金具４３に対して内枠３と共に回転可能な内枠上第１ヒンジ金具４２，内枠下ヒンジ金具４４及び内枠上第２ヒンジ金具４５（第１ヒンジ部材）と、ガラス扉４側に設けられ且つ内枠上第１ヒンジ金具４２，内枠下ヒンジ金具４４及び内枠上第２ヒンジ金具４５に対してガラス扉４と共に回転可能なガラス扉上ヒンジ金具４６及びガラス扉下ヒンジ金具４７（第２ヒンジ部材）とを備え、ガラス扉規制手段８６は、内枠下ヒンジ金具４４に設けられた第１当接手段８０と、ガラス扉下ヒンジ金具４７に設けられ且つ内枠３に対するガラス扉４の相対回転角度が第２最大角度θ２となったときに第１当接手段８０に当接してそれ以上の相対回転を規制する第２当接手段８５とを備え、第２当接手段８５は、外枠２に対するガラス扉４の相対回転角度が少なくとも第２最大角度θ２を超えるまでは外枠下ヒンジ金具４３には当接しないことにより、第２最大角度θ２よりも第１最大角度θ１の方が大となるように構成しているため、ガラス扉４の開放を繰り返した場合の遊技機の損傷を最小限に抑えることができる。
【００４６】
図１２〜図１４は本発明の第２の実施形態を例示し、第１の実施形態に対してガラス扉規制手段８６の構成を変更した例を示している。なお、本実施形態が第１の実施形態と異なるのは、ガラス扉下ヒンジ金具４７と内枠下ヒンジ金具４４の構成のみである。
【００４７】
本実施形態の内枠下ヒンジ金具（第１ヒンジ部材，第１下ヒンジ部材）４４は、図１２，図１３に示すように、内枠３の左端部下面に沿って略水平に配置されたヒンジ軸受部７５と、このヒンジ軸受部７５の後部側から内枠３の背面に沿って上向きに配設された取付部７６とを例えば一体に備えている点では第２の実施形態の内枠下ヒンジ金具４４と同様であるが、ガラス扉規制手段８６を構成する第１当接手段８０′の形状が相違している。即ち、本実施形態の第１当接手段８０′は、例えば頂部７７の左端側に配置されており、ヒンジ軸受部７５から第２軸心７ｂに対する半径方向外向きに突出すると共にその先端側がガラス扉下ヒンジ金具４７の外周面に沿って上向きに屈曲する断面略Ｌ字状に形成されている。
【００４８】
また、本実施形態のガラス扉下ヒンジ金具（第２ヒンジ部材，第２下ヒンジ部材）４７は、図１２，図１３に示すように、ガラス扉４の扉ベース２２の左端部下面に沿って略水平に配置されたヒンジ軸受部８１と、このヒンジ軸受部８１の後部側から扉ベース２２の背面に沿って上向きに配設された取付部８２とを例えば一体に備えている点では第２の実施形態のガラス扉下ヒンジ金具４７と同様であるが、ガラス扉規制手段８６を構成する第２当接手段８５′の形状が相違している。即ち、本実施形態の第２当接手段８５′は、例えば頂部８３の右端部側に配置されており、第１当接手段８０′に対応するように、第２軸心７ｂに対する半径方向外向きの突起状に形成されている。
【００４９】
内枠３を閉じた状態でガラス扉４を開放する場合、ガラス扉４の開放角度がガラス扉最大角度（第２最大角度）θ２となったとき、図１４に示すようにガラス扉下ヒンジ金具４７側の第２当接手段８５′が内枠下ヒンジ金具４４側の第１当接手段８０′に当接して、それ以上の開放側への回転が規制される。
【００５０】
このように、ガラス扉規制手段８６を内枠下ヒンジ金具４４側の第１当接手段とガラス扉下ヒンジ金具４７側の第２当接手段とで構成する場合、それら第１当接手段と第２当接手段との構成は任意である。
【００５１】
図１５〜図１７は本発明の第３の実施形態を例示し、第１の実施形態を一部変更して、ガラス扉規制手段８６を第２上ヒンジ手段９側に設けた例を示している。なお、本実施形態が第１の実施形態と異なるのは、第１当接手段を内枠下ヒンジ金具４４側ではなく内枠上第２ヒンジ金具４５側に設け、第２当接手段をガラス扉下ヒンジ金具４７側ではなくガラス扉上ヒンジ金具４６側に設けた点のみである。
【００５２】
本実施形態の内枠上第２ヒンジ金具（第１ヒンジ部材，第１上ヒンジ部材）４５は、第１の実施形態と同様、図１５，図１６に示すように外枠上ヒンジ金具４１側のヒンジ軸受部５１の下側に対応して略水平に配置され且つその前端側が内枠３の前側に突出するヒンジ軸受部６１と、このヒンジ軸受部６１の後部側から例えば内枠３の背面に沿って例えば下向きに配設された取付部６２とを例えば一体に備えると共に、ヒンジ軸受部６１の先端側にヒンジ孔６３が形成されているが、更にヒンジ軸受部６１の先端部における例えば左側に、第２軸心７ｂに対する半径方向外向きに突出する第１当接手段８０″が例えば一体に設けられている。
【００５３】
また、本実施形態のガラス扉上ヒンジ金具（第２ヒンジ部材，第２上ヒンジ部材）４６は、第１の実施形態と同様、図１５，図１６に示すように内枠上第２ヒンジ金具４５側のヒンジ孔６３に下側から嵌合する可動ヒンジ軸６４と、この可動ヒンジ軸６４を、ヒンジ孔６３に嵌合する嵌合位置とヒンジ孔６３に嵌合しない退避位置との間で上下方向移動可能に支持するヒンジ軸支持部材６５と、可動ヒンジ軸６４を嵌合位置側に付勢するバネ６６とを備えており、ヒンジ軸支持部材６５は、上下一対のヒンジ軸支持板６５ａ，６５ｂと、それらの後端側を上下に連結する連結板６５ｃとで側面視略コの字状に形成されているが、更にヒンジ軸支持板６５ａの先端部における例えば右側に、内枠上第２ヒンジ金具４５側のヒンジ軸受部６１の外周面に沿って上向きに突出する第２当接手段８５″が例えば一体に設けられている。
【００５４】
内枠３を閉じた状態でガラス扉４を開放する場合、ガラス扉４の開放角度がガラス扉最大角度（第２最大角度）θ２となったとき、図１７に示すようにガラス扉上ヒンジ金具４６側の第２当接手段８５″が内枠上第２ヒンジ金具４５側の第１当接手段８０″に当接して、それ以上の開放側への回転が規制される。
【００５５】
このように、ガラス扉規制手段８６を第２上ヒンジ手段９側に設けてもよい。もちろん、ガラス扉規制手段８６を第２下ヒンジ手段１０側と第２上ヒンジ手段９との両方に設けることも可能である。
【００５６】
図１８〜図２２は本発明の第４の実施形態を例示し、第１の実施形態を一部変更して、外枠下ヒンジ金具４３に、内枠規制手段９１を構成する第３当接手段９２を設けた例を示している。なお、本実施形態が第１の実施形態と異なるのは、ガラス扉下ヒンジ金具４７と外枠下ヒンジ金具４３の構成のみである。
【００５７】
本実施形態では、第１の実施形態と略同様に形成された外枠下ヒンジ金具（外枠ヒンジ部材）４３に対して第３当接手段９２が設けられている。即ち第３当接手段９２は、図１８〜図２０に示すように、例えば頂部７４の外縁部に、内枠下ヒンジ金具４４の外縁よりも第１軸心７ａに対する半径方向外向きに突出するように一体に設けられている。なお、この第３当接手段９２は、内枠３とガラス扉４とを共に閉じた状態で、内枠下ヒンジ金具４４側の第１当接手段８０よりも開放側に配置されている。
【００５８】
また、本実施形態のガラス扉下ヒンジ金具（第２ヒンジ部材，第２下ヒンジ部材）４７は、第１の実施形態と略同様に形成されているが、図２０等に示すように、第３当接手段９２と共に内枠規制手段９１を構成する第２当接手段８５ａが、第３当接手段９２に対応するように外枠下ヒンジ金具４３の外縁部まで延設されている点が相違している。
【００５９】
内枠３を閉じた状態でガラス扉４を開放する場合には、ガラス扉４の開放角度がガラス扉最大角度（第２最大角度）θ２となったとき、図２１に示すようにガラス扉下ヒンジ金具４７側の第２当接手段８５ａが内枠下ヒンジ金具４４側の第１当接手段８０に当接して、それ以上の開放側への回転が規制される。
【００６０】
一方、ガラス扉４を閉じた状態で内枠３を開放する場合には、内枠下ヒンジ金具４４とガラス扉下ヒンジ金具４７との相対的な位置関係は変化しないため、ガラス扉下ヒンジ金具４７側の第２当接手段８５ａが内枠下ヒンジ金具４４側の第１当接手段８０に当接することはないが、内枠３の開放角度がガラス扉最大角度（第２最大角度）θ２を超えて内枠最大角度（第１最大角度）θ１となったとき、図２２に示すようにガラス扉下ヒンジ金具４７側の第２当接手段８５ａが外枠下ヒンジ金具４３側の第３当接手段９２に当接して、それ以上の開放側への回転が規制される。
【００６１】
以上、本発明の実施形態について詳述したが、本発明はこれらの実施形態に限定されるものではなく、本発明の趣旨を逸脱しない範囲で種々の変更が可能である。例えば、実施形態では、ヒンジ軸又はヒンジ孔を備えたヒンジ金具（ヒンジ部材）にガラス扉規制手段８６を設けた例を示したが、ヒンジ金具とは別の金具等にガラス扉規制手段８６を設けてもよい。
【００６２】
第４の実施形態では、ガラス扉規制手段８６と内枠規制手段９１とで共通の第２当接手段８５ａを用いた例を示したが、例えば内枠下ヒンジ金具４４側に第４当接手段を設け、内枠規制手段９１を、外枠下ヒンジ金具４３側の第３当接手段９２と内枠下ヒンジ金具４４側の第４当接手段とで構成してもよい。
【００６３】
上皿２６等を備えた下部開閉扉を、その上側のガラス扉（第２扉体）４とは別に開閉可能としてもよい。この場合、下部開閉扉は、例えばガラス扉４を開放することにより、そのガラス扉４の開放角度を超えない範囲で開放可能となるように構成してもよい。
【００６４】
実施形態では、外枠２に対して内枠３を回転自在に支持するヒンジ手段を内枠３の上下両端側の２箇所に設け、内枠３に対してガラス扉４を回転自在に支持するヒンジ手段についてもガラス扉４の上下両端側の２箇所に設けた例を示したが、上下方向両端側に加えて１箇所以上の中間ヒンジ手段を設けてもよい。
【００６５】
また、本発明はパチンコ機に限らず、アレンジボール機、雀球遊技機等の他の遊技機においても同様に実施することが可能である。
【符号の説明】
【００６６】
２    外枠
１８    遊技領域
１５    遊技盤
３    内枠（第１扉体）
２１    透明窓
４    ガラス扉（第２扉体）
７ａ  第１軸心
７ｂ  第２軸心
θ１    第１最大角度
θ２    第２最大角度
８６    ガラス扉規制手段（規制手段）
８０    第１当接手段
８０′  第１当接手段
８０″  第１当接手段
８５    第２当接手段
８５′  第２当接手段
８５″  第２当接手段
【図１】
0005905920.tif 000002
【図２】
0005905920.tif 000003
【図３】
0005905920.tif 000004
【図４】
0005905920.tif 000005
【図５】
0005905920.tif 000006
【図６】
0005905920.tif 000007
【図７】
0005905920.tif 000008
【図８】
0005905920.tif 000009
【図９】
0005905920.tif 000010
【図１０】
0005905920.tif 000011
【図１１】
0005905920.tif 000012
【図１２】
0005905920.tif 000013
【図１３】
0005905920.tif 000014
【図１４】
0005905920.tif 000015
【図１５】
0005905920.tif 000016
【図１６】
0005905920.tif 000017
【図１７】
0005905920.tif 000018
【図１８】
0005905920.tif 000019
【図１９】
0005905920.tif 000020
【図２０】
0005905920.tif 000021
【図２１】
0005905920.tif 000022
【図２２】
0005905920.tif 000023